(57)【要約】【課題】既設の中層建築物に設置でき、簡易かつ小電力で中層建築物の上階まで物資を搬送できる物質搬送システム、および物資搬送方法を提供する。【解決手段】中層建築物２００の最上階に固定具１３０によって家庭用電源を電源とする巻上機１４０が固定され、物資を積載する積載部１１０に連結した巻上機１４０が有するワイヤロープ１４１を巻上機１４０が巻上げ、積載部１１０が昇降移動する際に積載部１１０に連結される昇降安定手段１２０が横揺れなどを防止して昇降移動を安定させる。【選択図】図１
2018095462.tif 000002
【特許請求の範囲】
【請求項１】
物資を積載した積載部を昇降移動させて物資を搬送する物資搬送装置において、
前記積載部に連結、または滑車を介して連結したケーブルを巻き上げる巻上手段と、
前記巻上手段または前記滑車を固定する固定手段と、
を備えることを特徴とする物資搬送装置。
【請求項２】
前記固定手段は、
空中で固定するための浮力手段を備えることを特徴とする請求項１記載の物資搬送装置。
【請求項３】
前記浮力手段は、
袋体を備え、
前記袋体に空気よりも軽い気体が充填されることで浮力が得られることを特徴とする請求項２記載の物資搬送装置。
【請求項４】
前記空気よりも軽い気体は、
窒素であることを特徴とする請求項３記載の物資搬送装置。
【請求項５】
前記巻上手段は、
歯車を回転させることで前記ケーブルを巻き付ける可搬式の巻上装置であることを特徴とする請求項１記載の物資搬送装置。
【請求項６】
前記巻上装置は、
家庭用電源から供給される電力で前記歯車を回転させる原動機を備えることを特徴とする請求項５記載の物資搬送装置。
【請求項７】
前記積載部は、
安定させて昇降移動するための昇降安定手段、
を備えることを特徴とする請求項１記載の物資搬送装置。
【請求項８】
前記昇降安定手段は、
前記中層建築物の壁面に垂直に設置されるレールを備え、
前記レールに前記積載部が連結されて昇降移動することを特徴とする請求項７記載の物資搬送装置。
【請求項９】
前記昇降安定手段は、
前記中層建築物の上階から地面に向かって張られたロープを備え、
前記ロープに前記積載部が連結されて昇降移動することを特徴とする請求項７記載の物資搬送装置。
【請求項１０】
前記昇降安定手段は、
前積載部に一方が固定されるロープを備え、
前記ロープの他方から地面方向に張力を与えて昇降移動することを特徴とする請求項７記載の物資搬送装置。
【請求項１１】
物資を積載した積載部を昇降移動させて物資を搬送する物資搬送方法において、
巻上手段が前記積載部に連結、または滑車を介して連結したケーブルを巻き上げる行程と、
固定手段が前記巻上手段または前記滑車を固定する行程と、
を備えることを特徴とする物資搬送方法。
【発明の詳細な説明】
【技術分野】
【０００１】
本発明は、物資搬送装置、および物資搬送方法に関し、特に既設の中層建築物に設置でき、物資を積載した積載部に連結、または滑車を介して連結されたケーブルを巻上手段が巻上げて昇降移動する物資搬送装置および物資搬送方法に関する。
【背景技術】
【０００２】
従来、中層建築物の各階に人や荷物を効率よく運搬するために、中層建築物にあらかじめ設置されたエレベータ施設や階段施設が利用されている（たとえば、特許文献１参照）。
【０００３】
このエレベータ施設を利用することで、例えば買い物帰りなど荷物を持ってエレベータに乗るだけで上層階まで容易に荷物を運ぶことができる。またゴミ出しのように上層階から地上まで荷物を運ぶ際も、エレベータ施設を利用することで上層階から地上まで容易に荷物を運ぶことができる。
【先行技術文献】
【特許文献】
【０００４】
【特許文献１】特開２０１２−１３７９８号公報
【発明の概要】
【発明が解決しようとする課題】
【０００５】
しかし災害が発生したときなど、停電により大電力を必要とするエレベータ施設に電源供給が遮断されると、中層建築物に設置されたエレベータ施設は使用できなくなる問題があった。このような状況で中層建築物の上階に物資を搬送するためには、階段施設を利用するしかなく非常に多くの時間と労力がかかっていた。
【０００６】
また停電時にでもエレベータ施設が利用できるように、非常時電源を設置することも考えられる。このようなエレベータ施設を利用するには大量の電力が必要であり、この大量の電力を停電時に供給するためには、大型な電源施設が必要である。ところが既設の中層建築物に大型の非常時電源施設を設置するスペースを確保するのは難しく、設置できる中層建築物は限られていた。またこのような大型な電源施設を導入するには高額な費用が必要であり、さらには電源施設を運用するためのメンテナンス費用もかかり、運用コストが高額になってしまうため簡単に設置できるものではなかった。
【０００７】
またエレベータ施設は、すべての中層建築物に設置されているわけではなく、古い中層建築物にはエレベータ施設が設置されていないものも存在する。このような既設の中層建築物にエレベータ施設をあとから設置することは、多くの費用と時間とが必要となってしまい現実的ではなかった。つまりこのような中層建築物で物資を地上から上階に搬送するためには階段施設を利用して搬送するしかなかった。
またこのような古い中層建築物では、住民の高齢化問題も抱えており、高齢者が重い荷物を抱えて上階まで階段施設を利用して搬送することは非常に困難であり、危険でもあった。
【０００８】
本発明はこのような点に鑑みてなされたものであり、既設の中層建築物に容易に設置でき、簡易かつ小電力で中層建築物の上階まで物資を搬送できる物質搬送システム、および物資搬送方法を提供することを目的とする。
【課題を解決するための手段】
【０００９】
本発明では上記問題を解決するために、物資を積載した積載部を昇降移動させて物資を搬送する物資搬送装置において、前記積載部に連結、または滑車を介して連結したケーブルを巻き上げる巻上手段と、前記巻上手段または前記滑車を固定する固定手段とを備えることを特徴とする物資搬送装置が提供される。
これにより、巻上手段が積載部に連結、または滑車を介して連結したケーブルを巻き上げ、固定手段が巻上手段または滑車を固定する。
【００１０】
また、本発明では、物資を積載した積載部を昇降移動させて物資を搬送する物資搬送方法において、巻上手段が前記積載部に連結、または滑車を介して連結したケーブルを巻き上げる行程と、固定手段が前記巻上手段または前記滑車を固定する行程とを備えることを特徴とする物資搬送方法が提供される。
これにより、巻上手段が積載部に連結、または滑車を介して連結したケーブルを巻き上げ、固定手段が巻上手段または滑車を固定する。
【発明の効果】
【００１１】
本発明の物資搬送装置、および物資搬送方法によれば、昇降安定手段が積載部を安定させて昇降移動し、位置維持手段が巻上手段の位置または滑車の位置を維持するので、既設の中層建築物に設置でき、簡易かつ小電力で中層建築物の上階まで物資を搬送できる。
【図面の簡単な説明】
【００１２】
【図１】第１の実施の形態に係る物資搬送装置の構成を示す図である。
【図２】昇降安定手段と積載部と連結する例を示す図である。
【図３】巻上機に電力を供給する様子を示す図である。
【図４】第２の実施の形態に係る物資搬送装置の構成を示す図である。
【図５】第３の実施の形態に係る物資搬送装置の構成を示す図である。
【図６】第４の実施の形態に係る物資搬送装置の構成を示す図である。
【図７】第５の実施の形態に係る物資搬送装置の構成を示す図である。
【発明を実施するための形態】
【００１３】
〔第１の実施の形態〕
以下、本発明の実施の形態を、図面を参照して詳細に説明する。
図１は、第１の実施の形態に係る物資搬送装置の構成を示す図である。
図１に示すように、物資搬送装置１００は積載部１１０、昇降安定手段１２０、固定具１３０、および巻上機１４０を備えている。
【００１４】
物資搬送装置１００は、１０階程度（約３０ｍ）の中層建築物２００に、あらかじめ設置されたエレベータ施設が災害時などで利用できない時に、地上から上階に例えば飲料水、食料、毛布、簡易トイレ、救急用品などの物資を搬送したり、上階から地上に廃棄物などの物資を搬送したりするためのシステムである。
【００１５】
また、中層建築物２００にエレベータ施設が設置されておらず、災害時などに既設の中層建築物２００後付けで設置することで、物資を地上から上階または上階から地上へ搬送できるシステムである。
【００１６】
積載部１１０は、例えばカゴ、ネット、木箱などのような軽量かつ強度を有した物資を搬送することを目的とした任意の容器である。積載部１１０に積載した物資を安定して搬送するために、積載部１１０は水平投影面積１平方メートル以下、かつ高さ１．２ｍ以下であることが望ましい。また１００ｋｇ程度の物資を積載し搬送できるような強度を有することが望ましい。
【００１７】
昇降安定手段１２０は、中層建築物２００の外側面に垂直に装着され、積載部１１０を安定させて昇降移動させるためのものである。昇降安定手段１２０は、中層建築物２００の上層から地面まで垂直に設置された少なくとも１本のレール、ワイヤロープなどであり、強度と柔軟性を備えたものを使用することが望ましい。この昇降安定手段１２０に積載部１１０が連結され、積載部１１０が昇降安定手段１２０に沿って昇降移動することで物資を各階に安全に搬送することができる。例えば、搬送中に風などで積載部１１０が揺れ、積載した物資が落下することを防止することができる。
【００１８】
また、中層建築物２００の上層から垂直に昇降安定手段１２０を設置できない場合は、積載部１１０を昇降移動させるときに、積載部１１０に固定した２本のロープを地上から２点で人が引っ張ることで、積載部１１０の横揺れを安定させてもよい。詳しくは後述する。
【００１９】
固定具１３０は、中層建築物２００の屋上や最上階から昇降安定手段１２０側に突出するように設置され、巻上機１４０を固定するためのものである。固定具１３０は、例えばＨ鋼のような形鋼を図示しないアンカーボルトで中層建築物２００に完全に固定する。
【００２０】
巻上機１４０はワイヤロープ１４１を備える例えばウインチであって、回転ハンドルを利用して手動で歯車装置を回転、または原動機の回転力を利用して歯車装置を回転させて減速させることで、回転するドラムがワイヤロープ１４１を巻き取り、そのワイヤロープ１４１に張力を与えるものである。
【００２１】
巻上機１４０は、中層建築物２００の上層に固定された固定具１３０が中層建築物２００の壁面から突出した部分に、回転するドラムが下向きになるように連結される。巻上機１４０は、回転ハンドルを利用して手動で巻き上げるものでも構わないが、家庭用の電源である１００Ｖで動作し、耐荷重４００ｋｇ程度の小型の電動ホイストを使用することが望ましい。またトロリーを備えた電動ホイストなどを利用することで、固定具１３０であるＨ鋼に連結し、固定具１３０の中層建築物２００の壁面から突出した部分上を移動することもできる。
【００２２】
巻上機１４０が巻き上げるワイヤロープ１４１の先端は積載部１１０に連結され、巻上機１４０を回転させることで積載部１１０を昇降移動させることができる。ワイヤロープ１４１と積載部１１０との連結は、積載する物資の重量に対して十分な耐荷重のスリング１１１などを利用して連結される。
【００２３】
このように、中層建築物２００の上層に設置した巻上機１４０が、昇降安定手段１２０を介して積載部１１０に積載した物資を昇降移動させることで、物資を安全に各階に搬送することができる。また物資搬送装置１００は、大がかりな施設を必要とせず、簡易かつ安価で設置することができるので、災害時などにでも地上から上階に物資を搬送することができる。
【００２４】
図２は昇降安定手段と積載部と連結する例を示す図である。
図（Ａ）は、積載部がワイヤロープである昇降安定手段に連結されている様子を示す図である。
図（Ａ）に示すように、積載部１１０は、昇降安定手段１２０である例えばワイヤロープ１２１に連結されている。
【００２５】
中層建築物２００の最上部または最上階から地上にかけて中層建築物２００の壁面に沿って垂直に２本のワイヤロープ１２１が閉口に配置され、端部は最上部または最上階、地上にアンカーボルトなどで確実に固定される。２本のワイヤロープ１２１は連結し積載部１１０が安定して昇降移動するためのものであり、たわまない程度に張力を与えてワイヤロープ１２１を固定する。
【００２６】
積載部１１０は、積載部１１０と昇降安定手段１２０とを連結する連結具１１２を両側面に備えている。また、スリング１１１を介して巻上機１４０に備えられたワイヤロープ１４１に積載部１１０が連結されている。
【００２７】
連結具１１２は例えば筒状のものであって、筒の内部に中層建築物２００の上層から地面に張ったワイヤロープ１２１を通過させることで、ワイヤロープ１２１に沿って積載部１１０が昇降移動することができる。これにより積載部１１０を安定させて昇降移動させることができる。
【００２８】
図（Ｂ）は、積載部がレールである昇降安定手段に連結されている様子を示す図である。
図（Ｂ）に示すように、積載部１１０は、昇降安定手段１２０である例えばレール１２２に連結されている。
【００２９】
レール１２２は例えば軽量のＩ形鋼であって、中層建築物２００の上層から地面までＩ形鋼を垂直に設置し中層建築物２００の壁面に固定されたものである。このレール１２２に積載部１１０を連結させて昇降移動させることで、レール１２２に沿って積載部１１０が昇降移動することができる。
【００３０】
積載部１１０は、昇降安定手段１２０と連結する複数の連結具１１３を両側面に備えている。また、（Ａ）と同様にスリング１１１を介して巻上機１４０に備えられたワイヤロープ１４１に積載部１１０が連結されている。
【００３１】
連結具１１３は例えば軽量のアルミ滑車であって、レール１２２を挟み込むように複数の連結具１１３を積載部１１０の両側面に設置し、連結具１１３の間をレール１２２が通ることで、レール１２２に沿って積載部１１０が昇降移動することができる。これにより積載部１１０を安定させて昇降移動させることができる。
【００３２】
図（Ｃ）は、積載部がロープである昇降安定手段に連結されている様子を示す図である。
図（Ｃ）に示すように、積載部１１０は、昇降安定手段１２０である例えばロープ１２３に連結されている。
【００３３】
積載部１１０は、図（Ａ）と同様にスリング１１１を介して巻上機１４０に備えられたワイヤロープ１４１に積載部１１０が連結されており、巻上機１４０を回転させることで積載部１１０は昇降移動する。
【００３４】
ロープ１２３は、図（Ａ）および図（Ｂ）にように中層建築物２００に設置するのではなく、あらかじめ積載部１１０の側面に２本のロープ１２３を固定する。ロープ１２３は、積載部１１０が所望の上階まで昇降移動するのに十分な長さであるものとする。
【００３５】
積載部１１０が昇降移動する時、積載部１１０に固定された２本のロープ１２３を、中層建築物２００の壁に沿って二手に分かれた人が地上から、たわまない程度に引っ張ることで積載部１１０を安定させる。これにより積載部１１０は激しく横揺れすることなく昇降移動することができる。
【００３６】
図３は、巻上機に電力を供給する様子を示す図である。
図３に示すように、巻上機１４０は発電機３００により電力が供給されている。
巻上機１４０は手動でハンドルを回転させることで積載部１１０を昇降移動させることもできる。このように手動で巻上機１４０を回転させる場合は電源が不要であるが、積載する物資の重さが多かったり昇降距離が長かったりする場合、手動で巻上機１４０を回転させることは非常に困難である。そこで巻上機１４０に電動ホイストを利用することで必要な物資を短時間で各階に搬送することができる。
【００３７】
電動ホイストは家庭用の電源である電圧１００Ｖで利用できるものを選択することで、家庭用のコンセントから供給される電力で電動ホイストを利用することができる。しかし災害時などに生じる停電などで家庭用のコンセントから電力が供給されない場合も考えられる。このような場合は、小型で過般タイプの発電機３００を利用して電力を電動ホイストに供給することで、停電時でも電動ホイストを利用することができる。
【００３８】
このように物資搬送装置１００は、非常時電源のような大がかりな施設を必要とせずに、簡易かつ小電力で中層建築物の上階まで物資を搬送できる。また、発電機３００を含めた物資搬送装置１００は、エレベータ施設が設置されていない中層建築物２００にも後から簡単に設置することができ、また非常時以外の時や不要になった際は、簡単に取り外して撤去することができる。
【００３９】
〔第２の実施の形態〕
次に、本発明の第２の実施の形態について説明する。本実施の形態の物資搬送装置は、巻上機の固定位置が異なる以外は、第１の実施の形態と同様である。このため、上記第１の実施の形態とほぼ同様の構成部分については同一の符号を付すなどして適宜その説明を省略する。
【００４０】
図４は、第２の実施の形態に係る物資搬送装置の構成を示す図である。
図４に示すように、物資搬送装置１００は積載部１１０、昇降安定手段１２０、固定具１３０、巻上機１４０、および折返し部材１５０を備えている。
【００４１】
固定具１３０は、中層建築物２００の屋上や最上階から昇降安定手段１２０側に突出するように設置され、折返し部材１５０を固定するためのものである。固定具１３０は、例えばＨ鋼のような形鋼を図示しないアンカーボルトを用いて中層建築物２００に完全に固定する。
【００４２】
折返し部材１５０は例えば滑車であって、折返し部材１５０が有する円盤外周部にワイヤロープ１４１が接することで、ワイヤロープ１４１の張力方向を変位させることができる。この折返し部材１５０は、折返し部材１５０が有する円盤外周部が地面方向に向けられて固定具１３０に固定される。
【００４３】
巻上機１４０は、折返し部材１５０の鉛直下方向の接地面に設置される。このとき巻上機１４０はコンクリート面などにアンカーボルトを用いて地面に完全に固定する。
巻上機１４０が巻き上げるワイヤロープ１４１の先端は、折返し部材１５０を介して積載部１１０に連結され、巻上機１４０を回転させることで積載部１１０を昇降移動させることができる。
【００４４】
具体的には、地面に固定された巻上機１４０が回転すると、ワイヤロープ１４１が巻き上げられ、ワイヤロープ１４１に地面方向の張力が与えられる。ワイヤロープ１４１に与えられた張力は、折返し部材１５０を介すことで張力方向が変位し、地面から中層建築物２００の上層方向に向けた張力に変位する。このように巻上機１４０を回転させることで積載部１１０を昇降移動させることができる。
【００４５】
このように、中層建築物２００付近の地面に設置した巻上機１４０が、中層建築物２００の上層に設置した折返し部材１５０を介して、昇降安定手段１２０に連結した積載部１１０を昇降移動させることで、積載部１１０に積載した物資を安全に各階に搬送することができる。また物資搬送装置１００は、大がかりな施設を必要とせず、簡易かつ安価で設置することができるので、災害時などにでも地上から上階に物資を搬送することができる。
【００４６】
〔第３の実施の形態〕
次に、本発明の第３の実施の形態について説明する。本実施の形態の物資搬送装置は、巻上機の固定位置が異なる以外は、第１の実施の形態および第２の実施の形態と同様である。このため、上記第１の実施の形態および第２の実施の形態とほぼ同様の構成部分については同一の符号を付すなどして適宜その説明を省略する。
【００４７】
図５は、第３の実施の形態に係る物資搬送装置の構成を示す図である。
図５に示すように、物資搬送装置１００は積載部１１０、昇降安定手段１２０、巻上機１４０、および折返し部材１５０を備えている。
【００４８】
巻上機１４０は、中層建築物２００の屋上に設置される。このとき巻上機１４０は中層建築物２００の屋上のコンクリート面などにアンカーボルトを用いて地面に完全に固定する。
折返し部材１５０は例えば滑車であって、中層建築物２００の屋上の端部に近い平面に設置され、巻上機１４０が巻き上げるワイヤロープ１４１の先端が、折返し部材１５０を介して積載部１１０に連結される。連結されたワイヤロープ１４１は、ワイヤロープ１４１を有する巻上機１４０が回転することで積載部１１０を昇降移動させることができる。
【００４９】
折返し部材１５０の設置位置または設置方向は、中層建築物２００の形状によって適宜選択され、中層建築物２００とワイヤロープ１４１が緩衝して、積載部１１０の昇降移動時にワイヤロープ１４１が損傷しない位置に設置する。
【００５０】
具体的には、積載部１１０を上昇させる場合、中層建築物２００の屋上に固定された巻上機１４０が回転すると、ワイヤロープ１４１が巻き上げられワイヤロープ１４１に折返し部材１５０から巻上機方向の張力が与えられる。ワイヤロープ１４１に与えられた張力は、折返し部材１５０を介すことで張力方向が変位し、地面から中層建築物２００の上層方向に向けた張力に変位する。これにより巻上機１４０を回転させることで積載部１１０を昇降移動させることができる。
【００５１】
このように、中層建築物２００の屋上に設置した巻上機１４０が、中層建築物２００の上層に設置した折返し部材１５０を介して、昇降安定手段１２０に連結した積載部１１０を昇降移動させることで、積載部１１０に積載した物資を安全に各階に搬送することができる。また物資搬送装置１００は、大がかりな施設を必要とせず、簡易かつ安価で設置することができるので、災害時などにでも地上から上階に物資を搬送することができる。
【００５２】
〔第４の実施の形態〕
次に、本発明の第４の実施の形態について説明する。本実施の形態の物資搬送装置は、巻上機の固定位置、または固定方法が異なる以外は、第１の実施の形態と同様である。このため、上記第１の実施の形態とほぼ同様の構成部分については同一の符号を付すなどして適宜その説明を省略する。
【００５３】
図６は、第４の実施の形態に係る物資搬送装置の構成を示す図である。
図６に示すように、物資搬送装置１００は積載部１１０、昇降安定手段１２０、バルーン１３１、および巻上機１４０を備えている。
【００５４】
昇降安定手段１２０は、例えばワイヤロープ１２１などであり、強度と柔軟性を備えたものを使用することが望ましい。またワイヤロープ１２１は、中層建築物２００の壁面に備えられた連結具１２４を介して後に説明するバルーン１３１に連結される。連結具１２４は筒状の形状をしており、筒の内部にワイヤロープ１２１を通過させることで、ワイヤロープ１２１を中層建築物２００の壁面に沿った状態を維持することができる。
【００５５】
このワイヤロープ１２１に積載部１１０が連結され、積載部１１０がワイヤロープ１２１に沿って昇降移動することで物資を各階に安全に搬送することができる。例えば、搬送中に風などで積載部１１０が揺れ、積載した物資が落下することを防止することができる。
【００５６】
バルーン１３１は、空気より軽い気体を詰め込むことで浮力を得る袋体であり、物資搬送装置１００を使用する際に別途用意した窒素ボンベから窒素をバルーン１３１に注入して膨らませる。
【００５７】
これにより空気より軽い窒素が充填され、浮力を得たバルーン１３１は上昇する。上昇したバルーン１３１にはワイヤロープ１２１が連結されており、中層建築物２００の壁面に沿って上昇し、中層建築物２００の上に浮かんだ一定の位置まで上昇する。バルーン１３１の上昇位置はワイヤロープ１２１の長さを変更することで調整することができる。
【００５８】
バルーン１３１の下端には巻上機１４０が固定され、中層建築物２００の上に浮かんだバルーン１３１によって空中に固定されている。
巻上機１４０が巻き上げるワイヤロープ１４１の先端は積載部１１０に連結され、巻上機１４０を回転させることで積載部１１０を昇降移動させることができる。ワイヤロープ１４１と積載部１１０との連結は、積載する物資の重量に対して十分な耐荷重を有するスリング１１１などを利用して連結される。
【００５９】
このように、中層建築物２００の上に浮かんだバルーン１３１に設置した巻上機１４０が、昇降安定手段１２０を介して積載部１１０に積載した物資を昇降移動させることで、物資を安全に各階に搬送することができる。また物資搬送装置１００は、大がかりな施設を必要とせず、簡易かつ安価で設置することができるので、災害時などにでも地上から上階に物資を搬送することができる。
【００６０】
また本実施の形態の物資搬送装置１００は中層建築物２００への付帯設備とはならないので、設置に関する建築確認などの必要がなく物資搬送装置１００を利用することができる。
なお、積載部１１０にはバルーン１３１の浮力によって積載する物資を昇降移動させるため、積載量は５０ｋｇ程度に抑えることが望ましい。
【００６１】
〔第５の実施の形態〕
次に、本発明の第５の実施の形態について説明する。本実施の形態の物資搬送装置は、巻上機の固定位置、または固定方法が異なる以外は、第２の実施の形態および第５の実施の形態と同様である。このため、上記第２の実施の形態および第５の実施の形態とほぼ同様の構成部分については同一の符号を付すなどして適宜その説明を省略する。
【００６２】
図７は、第５の実施の形態に係る物資搬送装置の構成を示す図である。
図７に示すように、物資搬送装置１００は積載部１１０、昇降安定手段１２０、バルーン１３１、巻上機１４０、および折返し部材１５０を備えている。
【００６３】
バルーン１３１は充填された窒素によって中層建築物２００の上に浮かんでおり、バルーン１３１の下端には折返し部材１５０が、折返し部材１５０が有する円盤外周部が地面方向に向けられてバルーン１３１に固定されている。
【００６４】
巻上機１４０は、空中に浮かぶ折返し部材１５０の鉛直下方向の接地面に設置される。このとき巻上機１４０はコンクリート面などにアンカーボルトを用いて地面に完全に固定する。
巻上機１４０が巻き上げるワイヤロープ１４１の先端は、空中に浮かぶ折返し部材１５０を介して積載部１１０に連結され、巻上機１４０を回転させることで積載部１１０を昇降移動させることができる。
【００６５】
このように、中層建築物２００付近の地面に設置した巻上機１４０が、中層建築物２００の上に浮かんだバルーン１３１設置した折返し部材１５０を介して、昇降安定手段１２０に連結した積載部１１０を昇降移動させることで、積載部１１０に積載した物資を安全に各階に搬送することができる。また物資搬送装置１００は、大がかりな施設を必要とせず、簡易かつ安価で設置することができるので、災害時などにでも地上から上階に物資を搬送することができる。
【符号の説明】
【００６６】
１００  物資搬送装置
１１０  積載部
１１１  スリング
１１２、１１３、１２４  連結具
１２０  昇降安定手段
１２１、１４１  ワイヤロープ
１２２  レール
１２３  ロープ
１３０  固定具
１３１  バルーン
１４０  巻上機
１５０  部材
２００  中層建築物
３００  発電機
【図１】
2018095462.tif 000003
【図２】
2018095462.tif 000004
【図３】
2018095462.tif 000005
【図４】
2018095462.tif 000006
【図５】
2018095462.tif 000007
【図６】
2018095462.tif 000008
【図７】
2018095462.tif 000009